(57)【特許請求の範囲】
【請求項１】
通信端末と、
前記通信端末の動作内容を検査する動作検査装置と、
前記動作検査装置に接続され前記通信端末に対して発信処理可能な発信装置と、
を備え、
前記発信装置は、
前記動作検査装置からの発信指令に基づき前記通信端末への発信処理を実行する発信処理部を有し、
前記通信端末に発信すると同時に、前記動作検査装置に発信スクリプトの実行応答を行い、
前記動作検査装置は、
前記発信装置へ前記発信指令を出力する発信指令出力部と、
前記発信指令出力部により出力された前記発信指令に基づく前記発信装置の発信処理に基づき、前記通信端末の着信動作を検査する着信動作検査部と、を有し、
前記通信端末は、
画像を表示する表示部を有し、
前記動作検査装置は、
前記通信端末の被操作部を操作可能な操作処理部と、
前記発信装置の前記発信処理に基づき前記通信端末で着信動作が行なわれた後に、前記操作処理部により前記通信端末で受信操作を行なわせ、当該受信操作後の動作を検査する受信動作検査部と、を有し、
前記通信端末の各動作に応じて前記表示部に表示される各画像に基づく前記動作内容を検査し、着信画像が期待画像である場合に、前記通信端末の通話キーを操作して通話状態とする
ことを特徴とする通信端末の検査装置。
【請求項２】
前記発信装置は、
前記通信端末への発信処理を実行するプログラムを記憶する記憶部を有し、
前記発信処理部は、
前記発信指令出力部からの前記発信指令の受信に基づき前記記憶部に記憶されている前記プログラムを実行することで前記発信処理を実行する
ことを特徴とする請求項１に記載の通信端末の検査装置。
【発明の詳細な説明】
【技術分野】
【０００１】
本発明は、携帯電話等の通信端末の検査装置および検査方法に関する。
【背景技術】
【０００２】
携帯電話等の通信端末の動作を検査するのに、人手による検査ではなく、自動検査装置（以下、単に検査装置という）を用いて検査を自動化することが行なわれるようになった。この検査装置によれば、検査のシナリオをあらかじめプログラム化して記憶しておき、そのシナリオにしたがい人手に代わって機械が携帯電話の操作キーなどを操作し、この操作により携帯電話の画面に表示される画像が遷移し、当該遷移された画像が撮影され、期待画像と比較することにより、正常動作か否かの試験が行われる。
【０００３】
例えば、特許文献１には、携帯電話試験機の操作ボタンを押圧操作し、当該操作に伴い変化する表示部の画像と予め記憶された設定画像とを比較することにより携帯電話の動作を試験する装置が開示されている。
【特許文献１】特開２００１−２６８２０２号公報
【発明の開示】
【発明が解決しようとする課題】
【０００４】
しかしながら上記した特許文献１に開示された技術によれば、試験機単独で試験を行うことを目的とした装置であるため、発着信時の動作試験を行うには不都合があった。すなわち、試験機で着信動作を行なわせるには、一方の試験機で発信動作を行わせ、他方の試験機で着信を受ける構成になるため、試験機を２台必要とする他、スムーズな評価試験を行うことができなかった。
【０００５】
本発明は上記した課題を解決するためになされたものであり、１台の試験装置を用いた発着信の動作試験を可能とし、かつ、スムーズな評価試験を行うことのできる、通信端末の検査装置および検査方法を提供することを目的とする。
【課題を解決するための手段】
【０００６】
上記した課題を解決するために本発明の通信端末の検査装置は、通信端末と、前記通信端末の動作内容を検査する動作検査装置と、前記動作検査装置に接続され前記通信端末に対して発信処理可能な発信装置と、を備え、前記発信装置は、前記動作検査装置からの発信指令に基づき前記通信端末への発信処理を実行する発信処理部を有し、前記通信端末に発信すると同時に、前記動作検査装置に発信スクリプトの実行応答を行い、前記動作検査装置は、前記発信装置へ前記発信指令を出力する発信指令出力部と、前記発信指令出力部により出力された前記発信指令に基づく前記発信装置の発信処理に基づき、前記通信端末の着信動作を検査する着信動作検査部と、を有し、前記通信端末は、画像を表示する表示部を有し、前記動作検査装置は、前記通信端末の被操作部を操作可能な操作処理部と、前記発信装置の前記発信処理に基づき前記通信端末で着信動作が行なわれた後に、前記操作処理部により前記通信端末で受信操作を行なわせ、当該受信操作後の動作を検査する受信動作検査部と、を有し、前記通信端末の各動作に応じて前記表示部に表示される各画像に基づく前記動作内容を検査し、着信画像が期待画像である場合に、前記通信端末の通話キーを操作して通話状態とする。
【０００９】
また、本発明の通信端末の検査装置において、前記発信装置は、前記通信端末への発信処理を実行するプログラムを記憶する記憶部を有し、前記発信処理部は、前記発信指令出力部からの前記発信指令の受信に基づき前記記憶部に記憶されている前記プログラムを実行することで前記発信処理を実行するように構成してもよい。
【発明の効果】
【００１２】
本発明によれば、１台の試験装置を用いた発着信の動作試験を可能とし、かつ、スムーズな評価試験を行うことのできる、通信端末の検査装置および検査方法を提供することができる。
【発明を実施するための最良の形態】
【００１３】
図１は、本発明の実施の形態に係る通信端末の検査装置のシステム構成の一例を示す図である。
【００１４】
図１に示されるように、本発明の実施の形態に係る通信端末の検査装置は、プランジャユニット１１と制御ＰＣ１２から成る動作検査装置１と、当該動作検査装置１とはＵＳＢ（Universal Serial Bus）ケーブル２を介して接続される発信装置としての携帯電話３（以下、発信用携帯電話３という）と、により構成される。
【００１５】
プランジャユニット（ＰＵ）１１には、携帯電話１０（以下、着信用携帯電話１０という）が装着されるアダプタユニット１１１と、着信用携帯電話１０の表示部であるＬＣＤ（Liquid Crystal Display）パネルに表示された画像を撮像するＣＣＤ（Charge Coupled Device）カメラ１１２と、着信用携帯電話１０の操作部であるボタンを一個ずつ押圧可能なプランジャＰ１〜Ｐｎを複数有するマニュピュレータ１１３と、により構成される。
【００１６】
制御ＰＣ１２は、上記したＰＵ１１の動作制御を行うとともに、ＵＳＢケーブル２を介して接続される発信用携帯電話３を制御して、発信用携帯電話３、着信用携帯電話１０間の発着信の動作内容を検査する。また、着信用携帯電話１０における各種動作内容を検査可能としている。
具体的に、制御ＰＣ１２は、発信用携帯電話３の発信指令を出力し、当該発信指令に基づく発信用携帯電話３での発信処理に基づき、アダプタユニット１１１に装着された着信用携帯電話１０の着信動作を検査する動作検査装置として機能する。
【００１７】
なお、発信用携帯電話３は、制御ＰＣ１２からの発信指令に基づきアダプタユニット１１１に装着された着信用携帯電話１０への発信処理を実行する機能を有する。
【００１８】
図２は、図１に示す動作検査装置１としての制御ＰＣ１２の内部構成を機能展開して示したブロック図である。
【００１９】
図２に示されるように、制御ＰＣ１２は、ＵＳＢインタフェース部２０と、制御部２１と、入力部２２と、表示部２３と、記憶部２４とにより構成される。
【００２０】
ＵＳＢインタフェース部２０は、ＵＳＢケーブル２を介して接続される発信用携帯電話３と制御部２１との間のシリアルデータ転送路である。
制御部２１は、このＵＳＢインタフェース部２０経由で発信用携帯電話３へ発信指令を出力し、当該発信指令に基づく発信用携帯電話３の発信動作に基づき、アダプタユニット１１１に装着された着信用携帯電話１０の着信動作、および通話状態遷移後の受信動作を検査する制御ＰＣ１２としての制御中枢となり、その内部構成が機能展開され示されているように、主制御部２１１と、発信指令出力部２１２と、着信動作検査部２１３と、操作処理部２１４と、撮影画像取得部２１５と、受信動作検査部２１６とにより構成される。
【００２１】
発信指令出力部２１２は、発信用携帯電話３へ発信指令を出力する機能を有し、また、着信動作検査部２１３は、発信指令出力部２１２での発信指令に基づく発信用携帯電話３での発信動作に基づき、着信用携帯電話１０の着信動作、および通話状態遷移の受信動作を検査する機能を有する。発信指令出力部２１２、着信動作検査部２１３ともに主制御部２１１によるシーケス制御の下でその機能を実行する。
すなわち、発信指令出力部２１２は、ＵＳＢインタフェース部２０、およびＵＳＢケーブル２を介して接続される発信用携帯電話３の発信処理を制御し、着信動作検査部２１３は、発信用携帯電話３の発信動作に基づき、ＰＵ１１のアダプタユニット１１１に装着された着信用携帯電話１０で着信動作が行なわれた後に、操作処理部２１４により受信操作（具体的にはオフフックキーの押下操作）を行なわせて当該受信後（着信動作状態から通話状態に遷移した後）の動作を検査する。
【００２２】
具体的に、着信動作検査部２１３は、操作処理部２１４によりＰＵ１１を制御してＣＣＤカメラ１１２を起動して着信用携帯電話１０のＬＣＤパネルに表示された着信画像を撮影させ、撮影画像取得部２１５により取得された着信画像と、記憶部２４に予め記憶された期待値画像とを比較して正誤判定を行い、その結果を、主制御部２１１経由で表示部２３に表示する。
【００２３】
また、受信動作検査部２１６は、操作処理部２１４を介してＰＵ１１（のプランジャＰ１〜Ｐｎのいずれか）を制御して着信用携帯電話１０の「通話」ボタン（オフフックキー）を押下させる他、通話状態に遷移後、再度ＣＣＤカメラ１１２を起動して着信用携帯電話１０のＬＣＤパネルに表示された通話時の画像を撮影させ、撮影画像取得部２１５により取得された画像と、記憶部２４に予め記憶された期待値画像とを比較して正誤判定を行い、主制御部２１１経由で表示部２３に結果表示を行う。
【００２４】
なお、これらのブロックが持つ機能は、記憶部２４に記憶されるそれぞれのプログラムを制御部２１で実行することにより達成されるものであって、制御部２１内において実体的に他のブロックと区分され内蔵されるもののみを指すのではなく、あくまで説明の簡略化のために各処理部を分けて表現したものである。
【００２５】
図３は、図１に示す発信用携帯電話３の内部構成を示すブロック図である。図３に示されるように、発信用携帯電話３は、通信部３１と、操作部３２と、音声処理部３３と、スピーカ（ＳＰ）３４と、マイクロフォン（ＭＩＣ）３５と、表示部３６と、記憶部３７と、制御部３８と、ＵＳＢインタフェース部３９とにより構成される。
【００２６】
通信部３１は、複数の通信システムを捕捉し、例えば、ＣＤＭＡ２０００ １ｘ（以下、単に１ｘという）やＥＶＤＯの通信プロトコルにしたがい、通信網に接続される不図示の基地局を含む網側装置との間でアンテナ３１ａを介して無線通信を行う。
なお、ＥＶＤＯ通信は、１ｘ通信よりも高速であり、１ｘ通信は、ＥＶＤＯ通信と異なり、データ通信の他に音声通信もサポートするといった特徴を有している。
【００２７】
操作部３２は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部３８に入力する。
【００２８】
音声処理部３３は、スピーカ３４から出力される音声信号やマイク３５において入力される音声信号の処理を行う。
すなわち、音声処理部３３は、マイク３５から入力される音声を増幅し、アナログ／デジタル変換を行い、更に符号化等の信号処理を施し、デジタルの音声データに変換して制御部３８に出力する。
また、音声処理部３３は、制御部３８から供給される音声データに復号化、デジタル／アナログ変換、増幅等の信号処理を施し、アナログの音声信号に変換してスピーカ３４に出力する。
【００２９】
表示部３６は、例えば、液晶表示パネルや有機ＥＬ（Electro-Luminescence）パネルなどの表示デバイスを用いて構成されており、制御部３８から供給される映像信号に応じた画像を表示する。
表示部３６は、例えば、発信時における発信先の電話番号、着信時における着信相手の電話番号、受信メールや送信メールの内容、日付、時刻、電池残量、発信成否、待ち受け画面などの各種の情報や画像を表示する。
【００３０】
記憶部３７は、制御部３８において処理に利用される各種のデータを記憶する。例えば、制御部３８が実行するアプリケーションプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。ここでは、更に、発信用携帯電話３を、制御ＰＣ１２から発せられる発信指令によりプログラム制御の下で発信動作を行うための発信スクリプト３７０が格納されるものとする。
なお、上記した記憶部３７は、例えば、不揮発性の記憶デバイス（フラッシュメモリ）やランダムアクセス可能な記憶デバイス（ＳＲＡＭ、ＤＲＡＭ）等によって構成される。
【００３１】
制御部３８は、発信用携帯電話３の全体的な動作を統括的に制御する。すなわち、携帯電話の各種の処理（回線交換網を介して行われる音声通話、電子メールの作成と送受信、インターネットのＷｅｂ（World Wide Web）サイトの閲覧などの制御）が操作部３２の操作に応じて適切な手順で実行されるように、上述した各ブロックの動作（通信部３１における信号の送受信、音声処理部３３における音声の入出力、表示部３６における画像の表示など）を制御する。
制御部３８は、記憶部３７に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、記憶部３７に格納されるオペレーティングシステムやアプリケーションプログラム等のプログラムから命令コードを順次読み込んで処理を実行する。
【００３２】
制御部３８は、その内部構成が機能展開され示されるように、主制御部３８０と、発信処理部３８１により構成される。
【００３３】
主制御部３８０は、制御ＰＣ１２からの発信指令に基づき、着信用携帯電話１０への発信処理を実行するためのシーケンス制御を司る他、接続される通信部３１、操作部３２、音声処理部３３、表示部３６のそれぞれを、記憶部３７に格納されたプログラムにより、制御する。
【００３４】
発信処理部３８１は、制御ＰＣ１２からＵＳＢケーブル２を介して発せられる発信指令を主制御部３８０経由で受信し、記憶部３７に記憶されている発信スクリプト３７０を実行することで着信用携帯電話１０への発信処理を実行する機能を有する。
なお、発信スクリプト３７０は、発信用携帯電話３の起動時に実行するように設定され、制御ＰＣ１２の発信指令出力部２１２から発せられる発信指令は、発信用携帯電話３を再起動させる指令である。
【００３５】
ＵＳＢインタフェース部３９は、制御ＰＣ１２と発信用携帯電話３との間でデータ交換される、発信指令、および後述するスクリプト実行応答の転送経路になる。
なお、上記した構成は、発信装置としての発信用携帯電話３が有する構成として説明したが、ＰＵ１１のアダプタユニット１１１に装着される着信用携帯電話１０についても、制御部３８が有する発信処理部３８１、記憶部３７に格納される発信スクリプト３７０を除けば同様の構成を有するものである。
【００３６】
図４は、本発明の実施の形態に係る通信端末の検査方法についての動作シーケンスを示す図である。
以下、図４に示す動作シーケンス図を参照しながら本発明の実施の形態に係る通信端末の検査方法について詳細に説明する。
【００３７】
まず、制御ＰＣ１２は、発信用携帯電話３に対してＵＳＢケーブル２経由で発信指令を送出する。この発信指令は、制御ＰＣ１２の制御部２１（発信指令出力部２１２）で生成される。
ここで、発信指令とは、発信用携帯電話３を再起動させる指令であり、結果として発信用携帯電話３の記憶部３７に格納されて、発信用携帯電話３の起動時に実行される発信スクリプト３７０の実行を起動する指令であり、発信用携帯電話３はこの発信指令を受信すると診断モードに遷移する（ステップＳ４０１）。
この発信指令を受けた発信用携帯電話３は、再起動を実行するとともに、この再起動に伴い発信処理部３８１が記憶部３７に格納された発信スクリプト３７０を読み出し実行することにより（ステップＳ４０２）、発信処理が行われて着信用携帯電話１０に向けて発信動作を行う（ステップＳ４０３）。同時に、制御ＰＣ１２に対して発信スクリプトの実行応答を行う（ステップＳ４０４）。
【００３８】
制御ＰＣ１２（制御部２１）は、発信スクリプトの実行応答を受けて、ＰＵ１１に対し着信画像の撮影指示を発する（ステップＳ４０５）。ＰＵ１１は、この撮影指示によりＣＣＤカメラ１１２を起動して着信用携帯電話１０のＬＣＤパネルに表示された着信画像を撮影する（ステップＳ４０６）。そして、撮影された着信画像は、ＰＵ１１経由で制御ＰＣ１２へ転送される（ステップＳ４０７）。
制御ＰＣ１２（制御部２１）は、撮影画像取得部２１５を介してその着信画像を取得して着信動作検査部２１３へ供給する。着信動作検査部２１３では、撮影画像取得部２１５が取得した着信画像と、記憶部２４に予め格納されている期待値画像（例えば、発信用携帯電話３からの着呼時に表示されるべき画像）とを比較してその正誤判定を行い（ステップＳ４０８）、一致した場合は、ＰＵ１１に対し、着信用携帯電話１０の「通話」ボタン（オフフックキー）の押下指示を送出し（ステップＳ４０９）、不一致の場合は、エラー処理を起動するとともに表示部２３にその旨を表示する。
【００３９】
「通話」ボタン押下指示を受信したＰＵ１１は、マニュピュレータ１１３のプランジャにより、アダプタユニット１１１に装着された着信用携帯電話１０の「通話」ボタンに対応して位置するマニュピュレータ１１３のプランジャ（Ｐ１〜Ｐｎのいずれか）を選択的に有効化し、当該選択されたプランジャにより「通話」ボタンが押下され（ステップＳ４１０）、このことにより、着信用携帯電話１０は、通話状態に遷移する（ステップＳ４１１）。
なお、通話状態に遷移後、制御ＰＣ１２（制御部２１）は、受信動作検査部２１６を起動し、受信動作検査部２１６は、操作処理部２１４を介してＰＵ１１を制御することで再度ＣＣＤカメラ１１２を起動し、着信用携帯電話１０のＬＣＤパネルに表示された通話時の画像を撮影させ、撮影画像取得部２１５により取得された画像と、記憶部２４に予め記憶された期待値画像とを比較（画像認識）して正誤判定を行い、主制御部２１１経由で表示部２３にその結果表示を行う。
【００４０】
以上説明のように本発明の実施の形態に係る通信端末の検査方法によれば、例えば、図１において、通信端末（着信用携帯電話１０）と、前記通信端末の動作内容を検査する動作検査装置（制御ＰＣ１２）と、前記動作検査装置に接続され、前記通信端末に対して発信処理可能な発信装置（発信用携帯電話３）と、を備えた検査装置による前記通信端末の検査方法であって、例えば、図４の動作シーケンス図において、前記動作検査装置からの発信指令に基づき前記通信端末への発信処理を実行するステップ（Ｓ４０１〜Ｓ４０３）と、前記発信指令に基づく前記発信装置の発信動作に基づき、前記通信端末の着信動作を検査するステップ（Ｓ４０４〜Ｓ４１１）と、を有するものである。
【００４１】
上記した本発明の実施の形態に係る通信端末の検査方法によれば、動作検査装置（制御ＰＣ１２）からの発信指令に基づき通信端末（着信用携帯電話１０）への発信処理を実行し、発信指令に基づく発信装置（発信用携帯電話３）の発信動作に基づき、通信端末の着信動作を検査することにより、１台の試験装置を用いた発着信の動作試験を可能とし、かつ、スムーズな評価試験を行うことができる。
【００４２】
図５、図６は、本発明の実施の形態に係る通信端末の検査装置の動作を説明するために示したフローチャートであり、制御ＰＣ１２、発信用携帯電話３のそれぞれを示す。
まず、図５のフローチャートを参照しながら図２に示す動作検査装置としての制御ＰＣ１２の動作から説明する。
【００４３】
制御ＰＣ１２（制御部２１）は、まず、主制御部２１１が発信指令出力部２１２を起動し、発信用携帯電話３に対してＵＳＢインタフェース部２０、ＵＳＢケーブル２経由で発信指令を送出する。上記したように、発信指令とは、発信用携帯電話３を再起動させる指令であって、結果として発信用携帯電話３の記憶部３７に格納された発信スクリプト３７０の実行を起動する指令である。
【００４４】
次に、主制御部２１１は、発信用携帯電話３からの発信スクリプトの実行応答の到来を待つ（ステップＳ５０２）。すなわち、発信指令を受信した発信用携帯電話３は、再起動によって発信処理部３８１が記憶部３７に格納された発信スクリプト３７０を読み出し実行することにより、発信処理を実行して着信用携帯電話１０に向けて発信動作を行うと同時に、制御ＰＣ１２に対して発信スクリプトの実行応答を行う。
【００４５】
主制御部２１１は、ＵＳＢインタフェース部２０を介して発信用携帯電話３からの発信スクリプトの実行応答を受けて（ステップＳ５０２“Ｙｅｓ”）、操作処理部２１４を起動してＰＵ１１に対して着信画像の撮影指示を送出する（ステップＳ５０３）。ＰＵ１１は、この撮影指示によりＣＣＤカメラ１１２を起動して着信用携帯電話１０のＬＣＤパネルに表示された着信画像を撮影する。そして、撮影された着信画像は、ＰＵ１１経由で制御ＰＣ１２へ転送される。
【００４６】
制御ＰＣ１２（制御部２１）は、撮影画像取得部２１５を介してその着信画像を取得して着信動作検査部２１３へ供給する（ステップＳ５０４“Ｙｅｓ”）。着信動作検査部２１３では、撮影画像取得部２１５が取得した着信画像と、記憶部２４に予め格納されている期待値画像とを比較（画像認識）してその正誤判定を行い（ステップＳ５０５、Ｓ５０６）、一致した場合は（ステップＳ５０６“ＯＫ”）、ＰＵ１１に対し、着信用携帯電話１０の「通話」ボタンの押下指示を送信し（ステップＳ５０７）て、通話状態への遷移後の動作（通話時の画像）を検査（期待値画像との比較）するとともに、不一致の場合は（ステップＳ５０６“ＮＧ”）、エラー処理を起動するとともに表示部２３にその旨を表示する（例外処理）。
【００４７】
次に、図６のフローチャートを参照しながら図３に示す発信装置としての発信用携帯電話３の動作について詳細に説明する。
【００４８】
制御ＰＣ１２（制御部２１）は、発信用携帯電話３に対してＵＳＢケーブル２経由で発信指令を送出し、発信用携帯電話３は、この発信指令を受信することにより（ステップＳ６０１“Ｙｅｓ”）、診断モードに遷移することは上記した通りである（ステップＳ６０２）。
上記した発信指令をＵＳＢインタフェース部３９経由で受信した制御部３８（主制御部３８０）は、発信用携帯電話３を再起動させることによって発信処理部３８１を起動し、当該発信処理部３８１は、記憶部３７に格納された発信スクリプト３７０を読み出して逐次実行することにより、着信用携帯電話１０に向けた発信動作を行う。
【００４９】
ここで、記憶部３７から読み出し実行される発信スクリプト３７０は、発信用携帯電話３の起動時に実行するように設定され、制御ＰＣ１２（制御部２１）の発信指令出力部２１２から送出される発信指令は、発信用携帯電話３を再起動させる指令である。
このため、発信用携帯電話３（制御部３８）は、再起動に伴い発信スクリプトを実行する毎（ステップＳ６０３“Ｙｅｓ”）、記憶部３７の所定の領域に割当てられ記憶される内蔵フラグをＯＮしておく（ステップＳ６０４）。発信用携帯電話３が診断モードにない通常モードにある場合、すなわち、発信スクリプトが実行されない場合（ステップＳ６０３“Ｎｏ”）、フラグはオフしたままである（ステップＳ６０５）。以降、発信用携帯電話３は、再起動されて発信スクリプトが実行される毎に発信動作（ダイヤル操作）を１回行う（ステップＳ６０６）。
【００５０】
以上説明のようにこの発明の実施の形態に係る通信端末の検査装置は、例えば、図１において、通信端末（着信用携帯電話１０）と、前記通信端末の動作内容を検査する動作検査装置（制御ＰＣ１２）と、前記動作検査装置に接続され前記通信端末に対して発信処理可能な発信装置（発信用携帯電話３）と、を備え、例えば、図２、図３において、前記発信装置は、前記動作検査装置からの発信指令に基づき前記通信端末への発信処理を実行する発信処理部（図３の発信処理部３８１）を有し、前記動作検査装置は、前記発信装置への前記発信指令を出力する発信指令出力部（図２の発信指令出力部２１２）と、前記発信指令出力部での前記発信指令に基づく前記発信装置の発信動作に基づき、前記通信端末の着信動作を検査する着信動作検査部（図２の着信動作検査部２１３）と、を有するものである。
【００５１】
上記した本発明の実施の形態に係る通信端末の検査装置によれば、発信装置（発信用携帯電話３）が動作検査装置（制御ＰＣ１２）からの発信指令に基づき通信端末（着信用携帯電話１０）への発信処理を実行するスクリプトを有し、動作検査装置が、発信装置への発信処理を指令することでスクリプト実行による発信装置の発信動作に基づき通信端末の着信動作を検査する構成とすることにより、１台の試験装置を用いた発着信の動作試験を可能とし、かつ、スムーズな評価試験を行うことができる。また、着信画像を撮影して画像認識を行うことにより着信時の動作試験を効率的に行うことが出来る。
【００５２】
なお、上記した本発明の実施の形態に係る通信端末の検査装置によれば、通信端末、あるいは発信装置としていずれも携帯電話のみ例示したが、同様の構成を有する、例えば、ＰＤＡ（Personal Digital Assistants）、やゲーム機等にも同様に適用が可能であり、発信装置は、着信用携帯電話１０への発信処理を実行する機能のみを有して構成されてもよい。
また、図２に示す本発明の実施の形態に係る通信端末の検査装置が有する各構成ブロックの機能は、全てをソフトウェアによって実現しても、あるいはその少なくとも一部をハードウェアで実現してもよい。例えば、制御部２１を構成する、主制御部２１１、発信指令出力部２１２、着信動作検査部２１３、操作処理部２１４、撮影画像取得部２１５、受信動作検査部２１６におけるデータ処理は、１または複数のプログラムによりコンピュータ上で実現してもよく、また、その少なくとも一部をハードウェアで実現してもよい。
また、発信用携帯電話３は、発信指令を受信した際に、再起動を伴って発信処理を実行する構成としたが、この構成に限定されることなく、動作検査装置からの発信指令に基づき発信処理が実行される構成であればよい。
【図面の簡単な説明】
【００５３】
【図１】本発明の実施の形態に係る通信端末の検査装置のシステム構成の一例を示す図である。
【図２】図１に示す動作検査装置としての制御ＰＣの内部構成を機能展開して示したブロック図である。
【図３】図１に示す発信装置としての発信用携帯電話の内部構成を示すブロック図である。
【図４】本発明の実施の形態に係る通信端末の検査方法についての動作シーケンスを示す図である。
【図５】本発明の実施の形態に係る通信端末の検査装置（動作検査装置）の動作を示すフローチャートである。
【図６】本発明の実施の形態に係る通信端末の検査装置（発信装置）の動作を示すフローチャートである。
【符号の説明】
【００５４】
１…動作検査装置、２…ＵＳＢケーブル、３…発信装置（発信用携帯電話）、１０…通信端末（着信用携帯電話）、１１…プランジャユニット（ＰＵ）、１２…制御ＰＣ、２０…ＵＳＢインタフェース部、２１…制御部、２２…入力部、２３…表示部、３１…通信部、３２…操作部、３３…音声処理部、３４…スピーカ（ＳＰ）、３５…マイク（ＭＩＣ）、３６…表示部、３７…記憶部、３８…制御部、３９…ＵＳＢインタフェース部、１１１…アダプタユニット、１１２…ＣＣＤカメラ、１１３…マニュピュレータ、２１１…主制御部、２１２…発信指令出力部、２１３…着信動作検査部、２１４…操作処理部、２１５…撮影画像取得部、２１６…受信動作検査部、３７０…発信スクリプト、３８０…主制御部、３８１…発信処理部。
【図１】
0005132998.tif 000002
【図２】
0005132998.tif 000003
【図３】
0005132998.tif 000004
【図４】
0005132998.tif 000005
【図５】
0005132998.tif 000006
【図６】
0005132998.tif 000007